(57)【要約】      （修正有）【課題】住宅等の室内空気を換気すると共に、建物の外壁部分に設置される換気ベントキャップを取り付けた際、外壁板の換気口とベントキャップとの隙間部をコーキングする際に用いる粘着テープを提供する。【解決手段】幅広の略半円形状に形成された台紙の一面上に可剥性処理を施して、その上に台紙と同形の粘着テープ１を貼付ける。粘着テープ１は丸型のベントキャップ４の円形部分に適合する幅広の略半円形状に形成された粘着テープ１を、数種類用意して、台紙を剥がして幅広の略半円形状の粘着テープ１を、隙間部５のラインに沿って数枚を貼付けて養生し、隙間部５にコーキング材を施す。【選択図】図３
0003235562.tif 000002
【実用新案登録請求の範囲】
【請求項１】
丸型の換気口とベントキャップの隙間をコーキングする際に用いる粘着テープにおいて、幅広の略半円形状に形成された台紙の一面上に可剥性処理を施し、その上に前記台紙と同形の粘着テープを貼付したことを特徴とする粘着テープ。
【考案の詳細な説明】
【技術分野】
【０００１】  本考案は、住宅等の室内空気を換気すると共に、建物の外壁部分に設置される換気ベントキャップを取り付けた際、外壁板の換気口とベントキャップとの隙間部をコーキングする際に用いる粘着テープに関するものである。
【背景の技術】
【０００２】  通常建物の室内換気や通風等を行う為に、外壁板に換気口を設けて換気口の内部に雨水等の進入を防止するベントキャップを取付けられるが、ベントキャップと換気口との間にわずかでも隙間があると、この隙間から雨水等が進入するので、これらの雨水の進入を塞ぐために外壁板の換気口とベントキャップとの隙間部にコーキング材が充填され雨水等を防止しているが、従来、丸型の換気口とベントキャップとの隙間部をコーキングする際には、マスキングテープを隙間部に沿ってテープを何度も折り曲げてマスキングテープを貼付けて養生し、ベントキャップのフランジ部も同様にして養生していたが、テープの折り曲げての養生には多年の熟練を要した。さらにマスキングテープ無しでコーキングするとラインが汚くなり周りの壁やベントキャップも汚してしまってた。
【先行技術文献】
【０００３】
【特許文献】
【特許文献】特開２０２１−０１６７０９号公報
【考案の概要】
【考案を解決しようとする課題】
【０００４】  上記の従来技術によると、丸型の換気口とベントキャップとの隙間部をコーキングする際には、マスキングテープを隙間部に沿ってテープを何度も折り曲げてマスキングテープを貼付けて養生し、ベントキャップのフランジ部も同様にして養生して、隙間部にコーキング材を充填するが、何度も折り曲げするので隙間部のラインに中々マスキングテープが沿わず綺麗な曲線のラインが仕上がらない。
【０００５】  またマスキングテープの折り曲げての養生には多年の熟練を要する。なのでマスキングテープ無しでコーキングするとラインが汚くなり、周りの壁やベントキャップも汚してしまう。
【０００６】  さらに、マスキングテープを隙間部に沿ってテープを何度も折り曲げするので、作業時間が長くなる。
【０００７】  従って、丸型の換気口とベントキャップとの隙間部の曲線に合わした粘着テープを、隙間部に沿って貼付けて養生し、隙間部にコーキング材を施して欠点を解決しようとするものである。
【課題を解決するための手段】
【０００８】幅広の略半円形状に形成された台紙の一面上に可剥性処理を施して、その上に前記台紙と同形の粘着テープを貼付けて問題を解決している。
【考案の効果】
【０００９】  丸型の換気口とベントキャップとの隙間部をコーキングする際には、マスキングテープを隙間部に沿ってテープを何度も折り曲げてマスキングテープを貼付けて養生し、ベントキャップのフランジ部も同様にして養生して、隙間部にコーキング材を充填するが、何度も折り曲げするので隙間部のラインに中々マスキングテープが沿わず綺麗な曲線のラインが仕上がらないが、本考案の粘着テープは隙間部の曲線に沿った幅広の略半円形状に形成されているので、隙間部のラインに沿って綺麗な曲線のラインが仕上がるので、隙間部にコーキングを施しても綺麗な曲線のラインが仕上がり、視覚を通じても美的感覚を感じるものである。
【００１０】  また、従来の隙間部をコーキングする際には、マスキングテープを隙間部に沿ってテープを何度も折り曲げてマスキングテープを貼付けて養生し、ベントキャップのフランジ部も同様にして養生するが、何度も折り曲げするので、作業時間が長くなり作業者の疲労が蓄積して作業効率が下がる。しかし本考案の粘着テープは幅広の略半円形状に形成された台紙の一面上に可剥性処理を施して、その上に前記台紙と同形の粘着テープを貼付けているので、台紙を剥がして幅広の略半円形状の粘着テープを隙間部のラインに沿って数枚を貼付けて養生するので、作業時間が短時間で完了し作業効果が上がる。
【００１１】  さらに、マスキングテープの折り曲げての養生には多年の熟練を要するが、本考案の粘着テープは隙間部のラインに沿って数枚を貼付するだけで綺麗な曲線のラインが仕上がるので、多年の熟練が無くても施工出来るものである。
【００１２】  そして、略半円形状の粘着テープは幅広に形成されているので、コーキングの際には周りの壁やベントキャップにコーキング材が付着するのを塞ぎます。
【図面の簡単な説明】
【００１３】
【図１】  本考案の正面図である。
【図２】  本考案の拡大断面図である。
【図３】  本考案の一実施例を示す正面図である。
【考案を実施するための形態】
【００１４】  幅広の略半円形状に形成された台紙の一面上に可剥性処理を施して、その上に前記台紙と同形の粘着テープを貼付けている。粘着テープはベントキャップの円形部分に適合する幅広の略半円形状に形成された粘着テープを数種類、用意している。以下、本考案の実施の形態を図に基づいて説明する。
【実施例】
【００１５】  １は粘着テープであって、色んな丸型のベントキャップの円形部分に適合するように、数種類の幅広の略半円形状の粘着テープが形成されている。２は台紙であって、粘着テープ１と同形の幅広の略半円形状に形成された台紙の一面上に可剥性処理を施して、その上に粘着テープ１を貼付けている。３は外壁板に設けた換気口で丸型の形状をしている。４は雨風や虫の進入を防ぐベントキャップであって、換気口３に取付けるものである。５は丸型の換気口３とベントキャップ４との隙間部である。６はコーキング材である。【００１６】  本考案は以上の構成であるから、丸型の換気口３とベントキャップ４との隙間部５をコーキングする際には、台紙２を剥がして幅広の略半円形状の粘着テープ１を隙間部５のラインに沿って数枚を貼付けて養生するので、作業時間が短時間で完了する。また隙間部５のラインに沿って数枚を貼付するだけで綺麗な曲線のラインが仕上がるので、隙間部５にコーキング材６を施しても綺麗な曲線のラインが仕上がるので、視覚を通じても美的感覚を感じるものであり、多年の熟練が無くても施工出来るものである。【００１７】  そして、略半円形状の粘着テープ１は幅広に形成されているので、コーキングの際には周りの壁やベントキャップ４にコーキング材６が付着するのを塞ぎます。
【産業上の利用可能性】
【００１８】本考案は、粘着テープを製造する産業で利用される。
【符号の説明】
【００１９】１粘着テープ
２台紙
３換気口
４ベントキャップ
５隙間部
６コーキング材
【図１】
0003235562.tif 000003
【図２】
0003235562.tif 000004
【図３】
0003235562.tif 000005